(57)【要約】【課題】タッチパネルを備えた表示装置であって、タッチパネルのキーが有効にタッチされたことを、ユーザに分かり易く知らせることができる表示装置を提供する。【解決手段】複数のキー６４が設けられたタッチパネル６２を備えたテレビジョン受像機１０であって、キー６４毎に設けられたタッチパネルＬＥＤ５８の各々を照明させるためのタッチパネルＬＥＤ制御部５６を備えており、キー６４は、タッチされることによって当該キー６４に対応する操作を行なうための指示を受け付けるものであり、タッチパネルＬＥＤ制御部５６は、複数のキー６４のいずれか１つがタッチされたときに、タッチされたキー６４に対応する操作を行なうことが可能である場合には、タッチパネルＬＥＤ５８の全てを照明させるものである。【選択図】図１
2011139392.tif 000002
【特許請求の範囲】
【請求項１】
複数のキーが設けられたタッチパネルを備えた表示装置であって、
上記キー毎に設けられた光源の各々を照明させるための照明手段を備えており、
上記キーは、タッチされることによって当該キーに対応する操作を行なうための指示を受け付けるものであり、
上記照明手段は、上記複数のキーのいずれか１つがタッチされたときに、タッチされたキーに対応する操作を行なうことが可能である場合には、上記光源の全てを照明させるものであることを特徴とする表示装置。
【請求項２】
上記照明手段は、上記複数のキーのいずれか１つがタッチされたときに、タッチされたキーに対応する操作を行なうことが不可能である場合には、上記光源の全てを照明させないものであることを特徴とする請求項１に記載の表示装置。
【請求項３】
上記照明手段は、上記複数のキーのうち、２つ以上のキーが同時にタッチされたときに、タッチされた２つ以上のキーにそれぞれ対応する操作を同時に行なうことが不可能である場合には、上記光源の全てを照明させないものであることを特徴とする請求項１または２に記載の表示装置。
【請求項４】
上記照明手段は、上記複数のキーのいずれもがタッチされていないときに、
上記複数のキーの各々に対応する操作のいずれかを行なうことが可能である場合には、上記光源の全てを照明させないものであり、かつ、
上記複数のキーの各々に対応する操作の全てを行なうことが不可能である場合には、上記光源の全てを照明させるものであることを特徴とする請求項１〜３のいずれか１項に記載の表示装置。
【請求項５】
表示灯と、当該表示灯の点灯パターンを制御する表示灯制御手段とを備えており、
上記照明手段と上記表示灯制御手段とは、上記光源と上記表示灯とを連携して制御することを特徴とする請求項１〜４のいずれか１項に記載の表示装置。
【請求項６】
周囲の照度を検出する光センサーを備えており、
上記照明手段は、上記光センサーが検出した照度に基づいて上記光源の輝度を制御することを特徴とする請求項１〜５のいずれか１項に記載の表示装置。
【請求項７】
複数のキーが設けられたタッチパネルを備えた表示装置におけるタッチパネルの照明方法であって、
上記キー毎に設けられた光源の各々を照明させる照明工程を備えており、
上記キーは、タッチされることによって当該キーに対応する操作を行なうための指示を受け付けるものであり、
上記照明工程において、上記複数のキーのいずれか１つがタッチされたときに、タッチされたキーに対応する操作を行なうことが可能である場合には、上記光源の全てを照明させることを特徴とする照明方法。
【請求項８】
請求項１〜６のいずれか１項に記載の表示装置を備えていることを特徴とするテレビジョン受像機。
【請求項９】
請求項１〜６のいずれか１項に記載の表示装置を動作させるプログラムであって、コンピュータを上記の各手段として機能させるためのプログラム。
【請求項１０】
請求項９に記載のプログラムを記録しているコンピュータ読み取り可能な記録媒体。
【発明の詳細な説明】
【技術分野】
【０００１】
本発明は、テレビジョン受像機等を始めとした表示装置および照明方法、ならびに表示装置のプログラム、およびコンピュータ読み取り可能な記録媒体に関する。
【背景技術】
【０００２】
特許文献１には、リモートコントローラ（以下、「リモコン」ともいう。）からのデータに基づいて、機器本体に設けられた操作パネルの照明を任意にＯＮ／ＯＦＦする画像表示装置が記載されている。
【０００３】
また、特許文献２に記載された動作表示装置は、当該動作表示装置が装備されている被状態確認装置の動作あるいは装置に異常があったとき、ＬＥＤ表示灯を点灯させるとともに、タッチパネル式画面に動作表示画面あるいは異常表示画面を自動点灯するものである。
【先行技術文献】
【特許文献】
【０００４】
【特許文献１】特開２００６−２２９８１４号公報（２００６年８月３１日公開）
【特許文献２】特開２００２−２６２４４６号公報（２００２年９月１３日公開）
【発明の概要】
【発明が解決しようとする課題】
【０００５】
しかし、特許文献１および特許文献２に記載された表示装置に備えられた操作パネル（タッチパネル）においては、ユーザは、その操作パネルを操作したときに、操作パネルが正常に反応しているかどうかを知ることができない。
【０００６】
本発明は、上記の従来技術が有する問題に鑑みてなされたものであり、その目的は、タッチパネルを備えた表示装置であって、タッチパネルのキーが有効にタッチされたことを、ユーザに分かり易く知らせることができる表示装置を提供することにある。
【課題を解決するための手段】
【０００７】
上記の課題を解決するために、本発明に係る表示装置は、複数のキーが設けられたタッチパネルを備えた表示装置であって、上記キー毎に設けられた光源の各々を照明させるための照明手段を備えており、上記キーは、タッチされることによって当該キーに対応する操作を行なうための指示を受け付けるものであり、上記照明手段は、上記複数のキーのいずれか１つがタッチされたときに、タッチされたキーに対応する操作を行なうことが可能である場合には、上記光源の全てを照明させるものであることを特徴とする。
【０００８】
また、本発明に係る照明方法は、複数のキーが設けられたタッチパネルを備えた表示装置におけるタッチパネルの照明方法であって、上記キー毎に設けられた光源の各々を照明させる照明工程を備えており、上記キーは、タッチされることによって当該キーに対応する操作を行なうための指示を受け付けるものであり、上記照明工程において、上記複数のキーのいずれか１つがタッチされたときに、タッチされたキーに対応する操作を行なうことが可能である場合には、上記光源の全てを照明させることを特徴とする。
【０００９】
上記の構成であれば、タッチパネルのキーが有効にタッチされたこと、すなわちタッチパネルが正常に反応しており、所望する操作が行なわれることをユーザに知らせることができる。また、タッチされたキー以外の全てのキーに設けられた光源を照明させるため、タッチされたキーが、タッチしたユーザの指などによって覆われていてユーザに見えにくい場合でも、タッチパネルが反応していることをユーザに分かり易く知らせることができる。
【００１０】
また、本発明に係る表示装置では、上記照明手段は、上記複数のキーのいずれか１つがタッチされたときに、タッチされたキーに対応する操作を行なうことが不可能である場合には、上記光源の全てを照明させないものであることが好ましい。
【００１１】
上記の構成であれば、タッチしたキーに対応する操作が行なわれないことをユーザに知らせることができる。
【００１２】
また、本発明に係る表示装置では、上記照明手段は、上記複数のキーのうち、２つ以上のキーが同時にタッチされたときに、タッチされた２つ以上のキーにそれぞれ対応する操作を同時に行なうことが不可能である場合には、上記光源の全てを照明させないものであることが好ましい。
【００１３】
上記の構成であれば、タッチした２つ以上のキーにそれぞれ対応する操作が行なわれないことをユーザに知らせることができる。
【００１４】
また、本発明に係る表示装置では、上記照明手段は、上記複数のキーのいずれもがタッチされていないときに、上記複数のキーの各々に対応する操作のいずれかを行なうことが可能である場合には、上記光源の全てを照明させないものであり、かつ、上記複数のキーの各々に対応する操作の全てを行なうことが不可能である場合には、上記光源の全てを照明させるものであることが好ましい。
【００１５】
上記の構成であれば、表示装置に対してタッチパネルのキーに対応する操作を行なうことが可能か不可能かを、ユーザに知らせることができる。
【００１６】
また、本発明に係る表示装置では、表示灯と、当該表示灯の点灯パターンを制御する表示灯制御手段とを備えており、上記照明手段と上記表示灯制御手段とは、上記光源と上記表示灯とを連携して制御することが好ましい。
【００１７】
また、本発明に係る表示装置では、周囲の照度を検出する光センサーを備えており、上記照明手段は、上記光センサーが検出した照度に基づいて上記光源の輝度を制御することが好ましい。
【００１８】
上記の構成であれば、周囲の照度に応じて表示灯の輝度を適切に調整することができる。
【００１９】
本発明に係るテレビジョン受像機は、上述したいずれかの表示装置を備えていることを特徴とする。
【００２０】
上記の構成であれば、タッチパネルを備えたテレビジョン受像機であって、タッチパネルのキーが有効にタッチされたことを、ユーザにわかりやすく知らせることができるテレビジョン受像機を提供することができる。
【００２１】
なお、上述した表示装置は、コンピュータによって実現してもよく、この場合には、コンピュータを上記各手段として動作させることにより上記表示装置をコンピュータにて実現させるプログラム、およびそれを記録したコンピュータ読み取り可能な記録媒体も、本発明の範疇に入る。
【発明の効果】
【００２２】
本発明に係る表示装置は、以上のように、複数のキーが設けられたタッチパネルを備えた表示装置であって、上記キー毎に設けられた光源の各々を照明させるための照明手段を備えており、上記キーは、タッチされることによって当該キーに対応する操作を行なうための指示を受け付けるものであり、上記照明手段は、上記複数のキーのいずれか１つがタッチされたときに、タッチされたキーに対応する操作を行なうことが可能である場合には、上記光源の全てを照明させるものであるので、タッチパネルのキーが有効にタッチされたことを、ユーザに分かり易く知らせることができる。
【図面の簡単な説明】
【００２３】
【図１】本発明の一実施形態におけるＴＶ受像機が備えるサブマイコンの構成を示すブロック図である。
【図２】本発明の一実施形態におけるＴＶ受像機の内部構成を示すブロック図である。
【図３】本発明の一実施形態におけるＴＶ受像機の外観を示す図である。
【図４】図３に示すＴＶ受像機の要部を示す図である。
【図５】（ａ）〜（ｃ）は、本発明の一実施形態におけるＴＶ受像機のセンターアイコンＬＥＤ、タッチパネルＬＥＤ、およびロゴＬＥＤの点灯パターンの一例を示す図である。
【図６】（ａ）〜（ｃ）は、本発明の一実施形態におけるＴＶ受像機のセンターアイコンＬＥＤ、およびロゴＬＥＤの点灯パターンの一例を示す図である。
【図７】（ａ）〜（ｃ）は、本発明の一実施形態におけるＴＶ受像機のセンターアイコンＬＥＤ、およびロゴＬＥＤの点灯パターンの一例を示す図である。
【図８】（ａ）〜（ｃ）は、本発明の一実施形態におけるＴＶ受像機のセンターアイコンＬＥＤ、およびロゴＬＥＤの点灯パターンの一例を示す図である。
【図９】（ａ）〜（ｃ）は、本発明の一実施形態におけるＴＶ受像機が備えるセンターアイコンＬＥＤの点灯パターンの例を示す図である。
【発明を実施するための形態】
【００２４】
以下では、まず、本発明の一実施形態に係るテレビジョン受像機（表示装置）の全体構成について説明し、その後に当該テレビジョン受像機の電源をオフにした際の機能について詳細に説明する。
【００２５】
〔テレビジョン受像機１０の概要〕
本実施形態に係るテレビジョン受像機（表示装置）１０（以下、「ＴＶ受像機１０」ともいう。）の概要について、図２〜図４を参照して説明する。図２は、本発明の一実施形態におけるＴＶ受像機の内部構成を示すブロック図であり、図３は、本発明の一実施形態におけるＴＶ受像機の外観を示す図である。また、図４は、図３に示すＴＶ受像機の要部を示す図である。
【００２６】
図２に示すように、ＴＶ受像機１０は、バスに接続されたＣＰＵ（Central Processing Unit）６およびメモリ７を有している。ＣＰＵ６を含むコンピュータ・システムは、ＴＶ受像機１０を制御する。また、メモリ７は、ＴＶ受像機１０をコンピュータ・システムによって動作させるための各種の制御プログラムを記憶している。すなわち、ＴＶ受像機１０の動作は、ＣＰＵ６、およびメモリ７に記憶された各種の制御プログラムによって制御される。
【００２７】
メモリ７は、通常ＲＡＭ（Random Access Memory）によって構成されるが、一部にＲＯＭ（Read Only Memory）を含んでいてもよい。また、書き換え可能なフラッシュメモリ等を含んでいてもよい。メモリ７は、ＣＰＵ６を動作させるためのＯＳ（Operating System）または各種の制御ソフト等が記憶され、放送波を介して受信した電子番組表（ＥＰＧ；Electronic Program Guide）データ等の番組情報に関するデータ、ＯＳＤ（On Screen Display）表示を行う際に必要となるＯＳＤ用画像データ等を記憶している。また、メモリ７は、各種の制御動作に必要なワークメモリとして働くワーク領域を有している。
【００２８】
ＴＶ受像機１０は、アナログチューナー部１２と、デジタルチューナー部１４と、ＩＰ（Internet Protocol）放送チューナー部２３とを備えている。
【００２９】
また、ＴＶ受像機１０は、外部入力部３１を備えている。外部入力部３１は、ハードディスクドライブ（ＨＤＤ）、ＳＤカード等の固体メモリ、ブルーレイディスク（ＢＤ）、ＤＶＤ（Digital Versatile Disc）、またはコンパクトディスク（ＣＤ）等のディスク装置等、種々の外部機器３０が接続可能となっている入力部である。外部入力部３１は、これらの外部機器３０からデータが入力され、入力されたデータのうち映像信号をビデオセレクター部１８に送信し、音声信号をオーディオセレクター部２６に送信する。
【００３０】
また、ＴＶ受像機１０は、受信部が受信した放送信号を基に表示画像を生成する生成部として、ＡＶスイッチ部１３、デジタル復調部１５、分離部（ＤＭＵＸ；DeMultiplexer）１６、ビデオデコード／キャプチャー部１７、ビデオセレクター部１８、映像処理部１９、加算回路２０、ＥＰＧ／ＯＳＤ／予約処理部２４、オーディオデコード部２５、オーディオセレクター部２６、選局部３３、および通信制御部３４を備えている。また、ＴＶ受像機１０は、生成部が生成した表示画像を出力する出力部４７として、表示制御部２１、液晶表示装置２２、音声出力変換部２７、およびスピーカー２８を備えている。また、ＴＶ受像機１０は、リモコン受光部（受け付け手段）３５と、センターアイコンＬＥＤ（表示灯）３７と、複数のタッチパネルＬＥＤ（光源）５８により構成されたタッチパネルＬＥＤ群３８と、ロゴＬＥＤ（表示灯）３９と、ＯＰＣ（Organic Photo Conductor）（ＲＢＧ）センサー（光センサー）７１（以下、「ＯＰＣセンサー７１」ということとする。）とを備えている。
【００３１】
また、図２および図３に示すように、ＴＶ受像機１０は、その筐体部に、表示画面６０と、センターアイコン６１と、タッチパネル６２と、ロゴ６３とを備えている。
【００３２】
アナログチューナー部１２は、アナログテレビ放送信号（以下、単に「放送信号」ともいう。）を受信する受信部である。アナログチューナー部１２は、選局部３３からの選局指示に応じて、受信するチャンネルを選局し、アナログ放送受信用のアンテナ１１を介してアナログテレビ放送信号を受信する。そして、受信した放送信号をＡＶスイッチ部１３に送信する。
【００３３】
ＡＶスイッチ部１３は、アナログチューナー部１２から受信した放送信号を、音声信号と映像信号とに分離し、映像信号をビデオセレクター部１８に送信し、音声信号をオーディオセレクター部２６に送信する。
【００３４】
デジタルチューナー部１４は、デジタル放送信号（以下、単に「放送信号」ともいう。）を受信する受信部である。デジタルチューナー部１４は、選局部３３からの選局指示に応じて、受信するチャンネルを選局し、デジタル放送受信用のアンテナ４０を介してデジタルテレビ放送信号を受信する。そして、受信した放送信号をデジタル復調部１５に送信する。
【００３５】
デジタル復調部１５は、デジタルチューナー部１４から受信した放送信号を復調し、分離部（ＤＭＵＸ）１６に送信する。
【００３６】
ＩＰ放送チューナー部２３は、ＩＰ放送信号（以下、単に「放送信号」ともいう。）を受信する受信部である。ＩＰ放送チューナー部２３は、選局部３３からの選局指示に応じて、受信する特定のＩＰ放送の選局を行い、電話回線・ＬＡＮ（Local Area Network）等に接続された通信制御部３４を介してＩＰ放送信号を受信する。そして、受信した放送信号を分離部（ＤＭＵＸ）１６に送信する。
【００３７】
分離部（ＤＭＵＸ）１６は、デジタル復調部１５またはＩＰ放送チューナー部２３から受信した放送信号に含まれる、多重化された映像データおよび音声データを分離する。そして、分離した映像データをビデオデコード／キャプチャー部１７に送り、分離した音声データをオーディオデコード部２５に送る。さらに、分離部（ＤＭＵＸ）１６は、放送信号に含まれるＥＰＧデータ等のデータを抽出し、ＥＰＧ／ＯＳＤ／予約処理部２４に送信する。なお、分離部（ＤＭＵＸ）１６によって抽出された放送信号は、必要に応じてＣＰＵ６による書き込み制御によりメモリ７に記録される。
【００３８】
ビデオデコード／キャプチャー部１７は、分離部（ＤＭＵＸ）１６によって分離された映像データを映像信号にデコードしたり、映像データに含まれるビデオ情報を静止画としてキャプチャーしたりする。ビデオデコード／キャプチャー部１７は、デコードした映像信号をビデオセレクター部１８に送信する。
【００３９】
ビデオセレクター部１８は、ＣＰＵ６から受信した制御信号に基づいて、ＡＶスイッチ部１３から受信した映像信号と、外部入力部３１から受信した映像信号と、ビデオデコード／キャプチャー部１７から受信した映像信号とのうち、１つの映像信号を選択して映像処理部１９に送信する。
【００４０】
映像処理部１９は、受信した映像信号に対して、例えば、ノイズリダクションの処理、シャープネスの調整、またはコントラストの調整等の映像処理を行い、液晶表示装置２２に最適な映像信号を含む映像データに変換する。そして、変換した映像データを加算回路２０に送信する。
【００４１】
ＥＰＧ／ＯＳＤ／予約処理部２４は、受信したＥＰＧデータ、またはメモリ７に定期的に更新保存されたＥＰＧデータに基づき電子番組表を作成する。また、ＥＰＧ／ＯＳＤ／予約処理部２４は、メモリ７に予め保存されているＯＳＤデータを描画する。当該ＯＳＤデータとは、例えば、予めメモリ７に記憶された設定メニュー画面、音量ケージ、現在時刻、または選局チャンネル等の各種情報を描画するためのデータである。そして、ＥＰＧ／ＯＳＤ／予約処理部２４は、ＥＰＧデータおよびＯＳＤデータを加算回路２０に送信する。また、ＥＰＧ／ＯＳＤ／予約処理部２４は、電子番組表を利用して番組の予約処理等を行う。
【００４２】
加算回路２０は、受信したＥＰＧデータ、ＯＳＤデータおよび映像データを、表示制御部２１に加算する。
【００４３】
表示制御部２１は、映像データを液晶表示装置２２に表示させるための駆動回路を含む部分である。表示制御部２１は、加算回路２０によって加算されたＥＰＧデータまたはＯＳＤデータを、加算回路２０によって加算された映像データに加えて液晶表示装置２２に送信する。
【００４４】
液晶表示装置２２は、表示制御部２１から受信した映像データを画面上に表示する。
【００４５】
通信制御部３４は、電話回線、ＬＡＮ、またはインターネット等のネットワーク網を介して通信を確立させるように制御を行う。
【００４６】
オーディオデコード部２５は、分離部（ＤＭＵＸ）１６によって分離された音声データを音声信号にデコードするものである。オーディオデコード部２５は、デコードした音声信号をオーディオセレクター部２６に送信する。
【００４７】
オーディオセレクター部２６は、ＡＶスイッチ部１３から受信した音声信号と、外部入力部３１から受信した音声信号と、オーディオデコード部２５から受信した音声信号とのうち、ＣＰＵ６からの制御に基づいて、ビデオセレクター部１８が選択した映像信号に対応する音声信号を選択する。そして、選択した音声信号を音声出力変換部２７に送信する。
【００４８】
音声出力変換部２７は、受信した音声信号を、スピーカー２８における再生に最適な信号に変換してスピーカー２８に送信する。
【００４９】
リモコン受光部３５は、リモートコントローラー３６（以下リモコン３６という）からの光信号を受信して、リモコン３６からの制御信号を受け付けるためのものである。これによって、リモコン受光部３５は、リモコン３６を介してユーザ（視聴者）からの指示を受け付ける。
【００５０】
センターアイコン６１は、ＴＶ受像機１０の筐体におけるユーザによって視認され得る位置に設けられている、マーク、文字などの形状の部材である。ここでは、センターアイコン６１は、ＴＶ受像機１０の表示画面６０の下部の中央に設けられている。センターアイコン６１は、ＴＶ受像機１０の内部から光が照射されることによって、その形状が強調して表示（以下、「強調表示」ともいう。）されるように構成されている。
【００５１】
センターアイコンＬＥＤ３７は、ＴＶ受像機１０の内部であってセンターアイコン６１の近傍に備えられたＬＥＤであり、発光（点灯）することによってセンターアイコン６１に光を照射し、これを強調表示させるものである。ここでは、センターアイコンＬＥＤ３７の発光によって、センターアイコン６１の形状が白く光って表示される。
【００５２】
タッチパネル６２は、ＴＶ受像機１０の筐体に設けられたタッチパネルであり、タッチセンサを備えている。タッチパネル６２には、ＩＣ６５が設けられており、このＩＣ６５がタッチパネル６２におけるキーの読み込み、タッチパネルＬＥＤ群３８の制御などを行なう。ここでは、タッチパネル６２は、ＴＶ受像機１０の表示画面６０の右下に設けられている。
【００５３】
ここで、本実施形態におけるタッチパネル６２について図４を参照して説明する。図４には、ＴＶ受像機１０のうち、タッチパネル６２が設けられた部分のみを示す。図４に示すように、タッチパネル６２上には、タッチするための複数のキー６４が設けられている。ここでは、キー６４は、７個設けられている。それぞれのキー６４は、ユーザからタッチされることによって、そのキー６４に対応する操作をＴＶ受像機１０に対して行なうための指示を受け付けるものである。それぞれのキー６４に対応する操作は、予め設定されてメモリ７等に記憶されている。
【００５４】
ＴＶ受像機１０に対して行なう操作とは、例えば、電源をＯＮまたはＯＦＦする操作、音量を調節する操作、チャンネルを変更する操作、入力切替を行なう操作、メニュー画面を表示する操作などが挙げられる。
【００５５】
タッチパネル６２における複数のキー６４は、ＴＶ受像機１０の内部から光が照射されることによって、強調表示されるように構成されている。強調表示されるとは、例えばキー６４全体が光って表示されるなどである。
【００５６】
タッチパネルＬＥＤ群３８におけるタッチパネルＬＥＤ５８は、ＴＶ受像機１０の内部であってタッチパネル６２のキー６４毎の近傍に、１つずつ備えられている。すなわち、ＴＶ受像機１０は、タッチパネル６２におけるキー６４の数と同数のタッチパネルＬＥＤ５８を備えている。すなわちここでは、タッチパネルＬＥＤ５８は７個である。タッチパネルＬＥＤ５８は、発光（点灯）することによって、対応するキー６４を照明し、これを強調表示させるものである。
【００５７】
ロゴ６３は、ＴＶ受像機１０におけるユーザによって視認され得る位置に設けられている、社名、製品名などを表す文字、記号等の形状の部材である。ここでは、ロゴ６３は、ＴＶ受像機１０の表示画面６０の下部の左端に設けられている。ロゴ６３は、ＴＶ受像機１０の内部から光が照射されることによって、強調表示されるように構成されている。
【００５８】
ロゴＬＥＤ３９は、ＴＶ受像機１０の内部であってロゴ６３の近傍に備えられたＬＥＤであり、発光（点灯）することによってロゴ６３に光を照射し、これを強調表示させるものである。
【００５９】
なお、センターアイコンＬＥＤ３７、タッチパネルＬＥＤ５８およびロゴＬＥＤ３９には、白色ＬＥＤ等の各色のＬＥＤを用いることができる。また、これらは、センターアイコン６１、タッチパネル６２における複数のキー６４、およびロゴ６３の上から光を照射することによって、これらが白く浮かび上がって見えるように表示させるものであってもよい。なお、表示灯、および光源としては、ＬＥＤに限らず、光を出射することができる公知の光源を用いることができる。
【００６０】
ＯＰＣセンサー７１は、ＴＶ受像機１０の周囲の明るさ（照度）を検出する光センサーである。ＯＰＣセンサー７１は、バスに接続されている。
【００６１】
また、ＴＶ受像機１０は、メインのＣＰＵ６以外にサブマイコン４５を備えている。
【００６２】
サブマイコン４５は、ＣＰＵ６、メモリ７、ＡＶスイッチ部１３、デジタル復調部１５、分離部（ＤＭＵＸ）１６、ビデオデコード／キャプチャー部１７、ビデオセレクター部１８、映像処理部１９、ＩＰ放送チューナー部２３、ＥＰＧ／ＯＳＤ／予約処理部２４、オーディオデコード部２５、オーディオセレクター部２６、外部入力部３１、選局部３３、通信制御部３４、リモコン受光部３５、センターアイコンＬＥＤ３７、タッチパネルＬＥＤ群３８およびロゴＬＥＤ３９にバスを介して接続している。また、サブマイコン４５は、電源部４２およびバックアップ電源部４１に接続している。サブマイコン４５は、これらの接続された部材を制御している。
【００６３】
また、本実施形態に係るサブマイコン４５は、後述する構成を有することによって、センターアイコンＬＥＤ３７、タッチパネルＬＥＤ群３８およびロゴＬＥＤ３９の点灯パターンを制御している。
【００６４】
本実施形態に係るＴＶ受像機１０では、リモコン受光部３５およびセンターアイコンＬＥＤ３７以外のサブマイコン４５に接続された部材と、アナログチューナー部１２、デジタルチューナー部１４、および加算回路２０とを含めたものを処理部４６としている。また、表示制御部２１、液晶表示装置２２、音声出力変換部２７、およびスピーカー２８を含めたものを出力部４７としている。
【００６５】
電源部４２は、ＴＶ受像機１０におけるメインの電源であり、ＴＶ受像機１０がＯＮされると起動し、ＴＶ受像機１０がＯＦＦされると停止する。電源部４２には、コンセント等を通じて外部から電力が供給されており、処理部４６、出力部４７、およびバックアップ電源部４１に電力を供給する。電源部４２としては、例えばデジタル５Ｖ（Ｄ５Ｖ）等が挙げられる。
【００６６】
バックアップ電源部４１は、ＴＶ受像機１０におけるサブの電源であり、ＴＶ受像機１０の電源がＯＮの状態またはＯＦＦの状態にかかわらず、常に通電している電源である。バックアップ電源部４１は、電源部４２から電力が供給されており、サブマイコン４５、リモコン受光部３５、タッチパネル６２、センターアイコンＬＥＤ３７、およびＯＰＣセンサー７１に電力を供給する。バックアップ電源部４１としては、例えばバックアップ５Ｖ（ＢＵ５Ｖ）等が挙げられる。
【００６７】
このように、ＴＶ受像機１０における各部材に電力を供給するための電源として、電源部４２とバックアップ電源部４１との２つの電源を備えていることにより、消費電力を抑えることができる。また、ＬＥＤは消費電力が大きいが、センターアイコンＬＥＤ３７に電力を供給する電源と、タッチパネルＬＥＤ群３８およびロゴＬＥＤ３９に電力を供給する電源とが異なるため、各電源の容量をオーバーすることを防止することができる。
【００６８】
なお、ＴＶ受像機１０は、人感センサーなどの種々のセンサーをさらに備えていてもよい。例えば人感センサーは、ＴＶ受像機１０を視聴しているユーザを検知する。
【００６９】
〔サブマイコン４５の構成〕
サブマイコン４５の構成について、図１を参照して説明する。図１は、本発明の一実施形態におけるＴＶ受像機が備えるサブマイコンの構成を示すブロック図である。
【００７０】
サブマイコン４５は、記憶部（記憶手段）５１、動作状態検出部５２、パターン取得部５３、パターン書き換え部５４、センターアイコンＬＥＤ制御部（表示灯制御手段）５５、タッチパネルＬＥＤ制御部（照明手段）５６、およびロゴＬＥＤ制御部（表示灯制御手段）５７を備えている。サブマイコン４５は、これらの部材を制御することによって、センターアイコンＬＥＤ３７、タッチパネルＬＥＤ群３８におけるタッチパネルＬＥＤ５８およびロゴＬＥＤ３９の点灯パターンを制御している。
【００７１】
記憶部５１は、ユーザが選択した点灯パターンを記憶する。点灯パターンとは、センターアイコンＬＥＤ３７、タッチパネルＬＥＤ５８およびロゴＬＥＤ３９のそれぞれにおける、ＴＶ受像機１０の動作状態に対応付けられた点灯パターンである。点灯パターンとしては、点灯し続けるパターン、消灯し続けるパターン、定期的に点滅するパターン、数回点滅した後一定時間消灯することを繰り返すパターンなどが挙げられる。
【００７２】
なお、センターアイコンＬＥＤ３７およびロゴＬＥＤ３９は、消灯している状態から点灯する場合には、その発光強度が、０から設定された発光強度に急激に変化することによって点灯してもよいし、０から設定された発光強度まで徐々に上昇することによって点灯してもよい。また、点灯している状態から消灯する場合には、その発光強度が、設定された発光強度から０に急激に変化することによって消灯してもよいし、設定された発光強度から０まで徐々に下降することによって消灯してもよい。
【００７３】
ユーザが選択した点灯パターンとは、例えばメモリ７が記憶する複数の点灯パターンのなかの１つであって、ユーザが選択したものであってもよい。例えば、ＴＶ受像機１０は、メモリ７に記憶された複数の点灯パターンのうちのいずれかをユーザに選択させるためのメニュー画面を、液晶表示装置２２の表示画面６０に表示する。リモコン受光部３５は、ユーザがリモコン３６のボタンを押すことによって送信した、いずれかの点灯パターンを選択するための指示を受け付ける。そして、ＣＰＵ６からの制御に基づき、受け付けた指示をパターン書き換え部５４に送信する。
【００７４】
パターン書き換え部５は、受信した指示に基づいて、記憶部５１に記憶されている点灯パターンを、ユーザが直近に選択した点灯パターンに書き換える。これによって、記憶部５１は、ユーザが選択した点灯パターンを記憶することとなる。なお、記憶部５１は、製品出荷時には、いずれかの点灯パターンをデフォルトとして記憶している。
【００７５】
動作状態検出部５２は、処理部４６および出力部４７から、ＴＶ受像機１０の動作状態に関する情報を取得する。ＴＶ受像機１０の動作状態としては、スタンバイ状態、起動準備状態、起動状態、視聴状態、ソフトウェアをバージョンアップしている状態、エラー状態などがある。動作状態検出部５２は、取得した情報をパターン取得部５３に送信する。
【００７６】
スタンバイ状態とは、表示装置におけるメインの電源が停止しており、サブの電源のみが起動している動作状態をさす。本実施形態におけるスタンバイ状態では、電源部４２が停止しており、バックアップ電源部４１のみが起動している。したがって、処理部４６および出力部４７には電力が供給されていないが、少なくともリモコン受光部３５、タッチパネル６２等にはバックアップ電源部４１から電力が供給されており、リモコン受光部３５またはタッチパネル６２がＴＶ受像機１０を起動させるための指示を受け付けることが可能になっている。
【００７７】
起動準備状態とは、スタンバイ状態において表示装置の電源がＯＮされてから、メインの電源が起動するまでの動作状態をさす。本実施形態における起動準備状態とは、スタンバイ状態においてＴＶ受像機１０の電源がＯＮされてから、電源部４２が起動して処理部４６および出力部４７に電力を供給し始めるまでの動作状態である。ＴＶ受像機１０は、例えばリモコン受光部３５がリモコン３６を介して受光することによって、またはタッチパネル６２のキー６４がタッチされることによって、ＴＶ受像機１０の電源をＯＮする操作を行なうための指示をユーザから受け付けた場合などに、スタンバイ状態等から起動準備状態に変化する。
【００７８】
起動状態とは、メインの電源が起動してから、表示装置に表示画面（映像等）を表示し始めるまでの動作状態をさす。本実施形態における起動状態とは、電源部４２が処理部４６および出力部４７に電力を供給し始めてから、視聴状態等になるための処理を行なっている動作状態である。起動状態においては、ＴＶ受像機１０は、電源部４２によって処理部４６および出力部４７への電力供給を行ない、処理部４６がコンテンツを取得し、出力部４７が当該コンテンツの出力を開始する準備をするなどの処理を行なう。その後、液晶表示装置２２がコンテンツの映像、ＥＰＧデータ、チャンネルコール等のＯＳＤデータ等を表示しはじめたとき、ＴＶ受像機１０は、起動状態から視聴状態に変化する。
【００７９】
視聴状態とは、表示装置が表示画面を表示している動作状態をさす。本実施形態における視聴状態とは、液晶表示装置２２がコンテンツの映像、ＥＰＧデータ、ＯＳＤデータ等を表示している動作状態である。
【００８０】
ソフトウェアをバージョンアップしている状態とは、外部入力部３１、通信制御部３４などを介して、ＴＶ受像機１０におけるメモリ７等が記憶しているプログラムなどのソフトウェアを、外部の情報などに基づいてバージョンアップしている動作状態をさす。
【００８１】
エラー状態とは、ＴＶ受像機１０にエラーが生じている動作状態をさす。エラーとは、例えばコンテンツを取得できない場合、ソフトウェアのバージョンアップに失敗した場合等が挙げられる。
【００８２】
パターン取得部５３は、動作状態検出部５２から受信したＴＶ受像機１０の動作状態に関する情報に基づいて、当該情報に対応する、センターアイコンＬＥＤ３７、タッチパネルＬＥＤ５８およびロゴＬＥＤ３９のそれぞれの点灯パターンを記憶部５１から取得する。そして、それぞれの点灯パターンを、センターアイコンＬＥＤ制御部５５、タッチパネルＬＥＤ制御部５６およびロゴＬＥＤ制御部５７のそれぞれに送信する。
【００８３】
センターアイコンＬＥＤ制御部５５、タッチパネルＬＥＤ制御部５６およびロゴＬＥＤ制御部５７は、パターン取得部５３から受信した点灯パターンに基づいて、センターアイコンＬＥＤ３７、タッチパネルＬＥＤ５８、ロゴＬＥＤ３９のそれぞれの点灯パターンを制御する。
【００８４】
なお、センターアイコンＬＥＤ制御部５５およびロゴＬＥＤ制御部５７は、ＰＷＭ（Pulse Width Modulation）制御によってセンターアイコンＬＥＤ３７またはロゴＬＥＤ３９の制御を行なってもよい。この場合には、パルスにおけるＯＮデューティーおよびＯＦＦデューティーを変化させることができるので、センターアイコンＬＥＤ３７、ロゴＬＥＤ３９の発光強度を徐々に変化させることができる。
【００８５】
また、タッチパネルＬＥＤ制御部５６は、例えばＩ２Ｃ制御によってタッチパネルＬＥＤ５８を制御してもよい。
【００８６】
以上の構成によって、センターアイコン６１、タッチパネル６２およびロゴ６３は、ＴＶ受像機１０の動作状態に基づいたパターンによって強調表示されるため、ＴＶ受像機１０の動作状態をユーザに示すインジケーターの役割を果たすことができる。
【００８７】
また、センターアイコンＬＥＤ制御部５５、タッチパネルＬＥＤ制御部５６およびロゴＬＥＤ制御部５７は、ＯＰＣセンサー７１から、定期的にＴＶ受像機１０の周囲の明るさ（照度）を取得する。そして、取得した周囲の明るさまたはその変化に応じて、センターアイコンＬＥＤ３７、タッチパネルＬＥＤ５８、ロゴＬＥＤ３９のそれぞれの輝度を制御する。
【００８８】
例えば、センターアイコンＬＥＤ制御部５５、タッチパネルＬＥＤ制御部５６およびロゴＬＥＤ制御部５７は、周囲の明るさが明るくなった場合には、各ＬＥＤの輝度を上げるように変化させ、周囲の明るさが暗くなった場合には、各ＬＥＤの輝度を下げるように変化させてもよい。このような構成であれば、周囲が明るいときには、ユーザに対してセンターアイコン６１、タッチパネル６２およびロゴ６３の強調表示を見え易くすることができるとともに、周囲が暗いときには、これらの強調表示によってユーザに眩しさを感じさせることを防ぐことができる。
【００８９】
〔センターアイコンＬＥＤ３７の点灯方法〕
本実施形態におけるセンターアイコンＬＥＤ３７の点灯方法は、上述したように、センターアイコンＬＥＤ３７を備えたＴＶ受像機１０の動作状態に対応付けられる点灯パターンを選択するための指示をユーザから受け付ける受け付け工程と、上記受け付け工程において受け付けた指示に基づいて、選択された上記点灯パターンを記憶部５１に記憶する記憶工程と、ＴＶ受像機１０の動作状態に基づいて、当該動作状態に対応する点灯パターンを記憶部５１から取得し、当該点灯パターンによって、センターアイコンＬＥＤ３７を制御する表示灯制御工程とを備えている。
【００９０】
〔動作状態に対応した点灯パターンの例〕
次に、センターアイコンＬＥＤ３７、タッチパネルＬＥＤ５８、ロゴＬＥＤ３９の点灯パターンの例をいくつか示す。ここでは、ＴＶ受像機１０の動作状態がスタンバイ状態から起動状態に、そして起動状態から視聴状態に変化するときの点灯パターンについて説明する。
【００９１】
（点灯パターンの例１）
まず、点灯パターンの例１について、図５（ａ）〜（ｃ）を参照して説明する。図５（ａ）〜（ｃ）は、本発明の一実施形態におけるＴＶ受像機のセンターアイコンＬＥＤ、タッチパネルＬＥＤ、およびロゴＬＥＤの点灯パターンの一例を示す図である。なお、図５（ａ）は、ＴＶ受像機１０がスタンバイ状態および起動準備状態である場合を示し、図５（ｂ）は、ＴＶ受像機１０がスタンバイ状態から視聴状態に遷移している起動状態である場合を示し、図５（ｃ）は、ＴＶ受像機１０が視聴状態である場合を示す。また、図５（ａ）〜（ｃ）には、ＴＶ受像機１０の要部のみを示す。
【００９２】
まず、スタンバイ状態のときには、センターアイコンＬＥＤ３７、タッチパネルＬＥＤ５８、およびロゴＬＥＤ３９は全て消灯している。このため、センターアイコン６１、タッチパネル６２の全てのキー６４、およびロゴ６３は、いずれも強調表示されない（図５（ａ））。
【００９３】
次に、起動準備状態のときには、スタンバイ状態と同じ点灯パターンである。すなわち、センターアイコン６１、タッチパネル６２の全てのキー６４、およびロゴ６３は、いずれも強調表示されない（図５（ａ））。
【００９４】
ここで、センターアイコンＬＥＤ３７は、スタンバイ状態においてすでにバックアップ電源部４１から電力が供給されているため、スタンバイ状態の停止後すぐに点灯することができるが、タッチパネルＬＥＤ群３８およびロゴＬＥＤ３９は、スタンバイ状態において電源部４２から電力が供給されていないため、電源部４２が起動して電力を供給し始めるまで、点灯することができない。
【００９５】
しかし、本点灯パターンの例では、起動準備状態において上述した点灯パターンによって点灯させることにより、センターアイコンＬＥＤ３７、タッチパネルＬＥＤ群３８およびロゴＬＥＤ３９を同時に点灯させることができる。
【００９６】
次に、起動状態のときには、センターアイコンＬＥＤ３７、タッチパネルＬＥＤ群３８、およびロゴＬＥＤ３９は全て点灯する。このため、センターアイコン６１、タッチパネル６２の全てのキー６４、およびロゴ６３は、いずれも強調表示される（図５（ｂ））。これによって、起動状態であることをユーザに知らせることができる。
【００９７】
なお、起動状態においては、タッチパネル６２は、キー６４に対するユーザの操作を受け付けることができないが、本点灯パターンの例１においては、起動状態においてタッチパネル６２の全てのキー６４を強調表示させることによって、タッチパネル６２がユーザからの操作を受け付けないことを、ユーザに知らせることができる。
【００９８】
次に、視聴状態になったときには、センターアイコンＬＥＤ３７およびロゴＬＥＤ３９が点灯したままであり、タッチパネルＬＥＤ群３８が消灯する。これによって、センターアイコン６１およびロゴ６３は強調表示されたままであるが、タッチパネル６２の全てのキー６４が強調表示されなくなる（図５（ｃ））。
【００９９】
その後、リモコン受光部３５またはタッチパネル６２が、ＴＶ受像機１０の電源をＯＦＦする操作を行なうための指示をユーザから受け付けた場合には、スタンバイ状態に戻る。
【０１００】
以上のように、点灯パターンの例１は、センターアイコン６１が、スタンバイ状態では強調表示されず、視聴状態では強調表示される点灯パターンの例である。
【０１０１】
（点灯パターンの例２）
次に、点灯パターンの例２について、図６（ａ）〜（ｃ）を参照して説明する。図６（ａ）〜（ｃ）は、本発明の一実施形態におけるＴＶ受像機のセンターアイコンＬＥＤ、およびロゴＬＥＤの点灯パターンの一例を示す図である。なお、図６（ａ）は、ＴＶ受像機１０がスタンバイ状態および起動準備状態である場合を示し、図６（ｂ）は、ＴＶ受像機１０がスタンバイ状態から視聴状態に遷移している起動状態である場合を示し、図６（ｃ）は、ＴＶ受像機１０が視聴状態である場合を示す。また、図６（ａ）〜（ｃ）には、ＴＶ受像機１０の要部のみを示す。なお、点灯パターンの例２においては、タッチパネルＬＥＤ群３８は、タッチパネル６２が操作されるときを除いて、常に消灯した状態である。
【０１０２】
センターアイコンＬＥＤ３７は、スタンバイ状態、起動準備状態、起動状態、視聴状態のいずれの場合においても常に点灯するため、センターアイコン６１が常に強調表示される（図６（ａ）〜（ｃ））。また、ロゴＬＥＤ３９は、上記点灯パターンの例１と同様の点灯パターンを示す。
【０１０３】
以上のように、点灯パターンの例２は、センターアイコン６１が常に強調表示される点灯パターンの例である。
【０１０４】
なお、スタンバイ状態のときには、視聴状態のときよりも、センターアイコン６１が強調表示されることによってユーザが眩しさを感じやすい。そこで、点灯パターンの例２においては、センターアイコンＬＥＤ制御部５５は、スタンバイ状態においては、視聴状態においてセンターアイコンＬＥＤ３７を点灯させるときの輝度よりも低い輝度において、センターアイコンＬＥＤ３７を点灯させることが好ましい。上述した構成であれば、ＴＶ受像機１０は、スタンバイ状態においてユーザが眩しさを感じることを防止することができる。
【０１０５】
（点灯パターンの例３）
次に、点灯パターンの例３について、図７（ａ）〜（ｃ）を参照して説明する。図７（ａ）〜（ｃ）は、本発明の一実施形態におけるＴＶ受像機のセンターアイコンＬＥＤ、およびロゴＬＥＤの点灯パターンの一例を示す図である。なお、図７（ａ）は、ＴＶ受像機１０がスタンバイ状態および起動準備状態である場合を示し、図７（ｂ）は、ＴＶ受像機１０がスタンバイ状態から視聴状態に遷移している起動状態である場合を示し、図７（ｃ）は、ＴＶ受像機１０が視聴状態である場合を示す。また、図７（ａ）〜（ｃ）には、ＴＶ受像機１０の要部のみを示す。なお、点灯パターンの例３においては、タッチパネルＬＥＤ群３８は、タッチパネル６２が操作されるときを除いて、常に消灯した状態である。
【０１０６】
センターアイコンＬＥＤ３７は、スタンバイ状態、起動準備状態および起動状態において点灯し、視聴状態において消灯する。また、ロゴＬＥＤ３９は、起動状態においてのみ点灯する（図７（ａ）〜（ｃ））。
【０１０７】
以上のように、点灯パターンの例３は、センターアイコン６１がスタンバイ状態では強調表示され、視聴状態では強調表示されない点灯パターンの例である。
【０１０８】
（点灯パターンの例４）
次に、点灯パターンの例４について、図８（ａ）〜（ｃ）を参照して説明する。図８（ａ）〜（ｃ）は、本発明の一実施形態におけるＴＶ受像機のセンターアイコンＬＥＤ、およびロゴＬＥＤの点灯パターンの一例を示す図である。なお、図８（ａ）は、ＴＶ受像機１０がスタンバイ状態および起動準備状態である場合を示し、図８（ｂ）は、ＴＶ受像機１０がスタンバイ状態から視聴状態に遷移している起動状態である場合を示し、図８（ｃ）は、ＴＶ受像機１０が視聴状態である場合を示す。また、図８（ａ）〜（ｃ）には、ＴＶ受像機１０の要部のみを示す。なお、点灯パターンの例３においては、タッチパネルＬＥＤ群３８は、タッチパネル６２が操作されるときを除いて、常に消灯した状態である。
【０１０９】
センターアイコンＬＥＤ３９は、起動状態においてのみ点灯し、スタンバイ状態、起動準備状態および視聴状態においては消灯する。ロゴＬＥＤ３９もまた、起動状態においてのみ点灯し、スタンバイ状態、起動準備状態および視聴状態においては消灯する（図８（ａ）〜（ｃ））。
【０１１０】
以上のように、点灯パターンの例４は、センターアイコン６１が起動状態以外の状態では常に強調表示されない点灯パターンの例である。
【０１１１】
点灯パターンの例４では、起動状態においてセンターアイコン６１およびロゴ６３が強調表示されることにより、ＴＶ受像機１０の電源がＯＮされたことをユーザに知らせることができる。また、スタンバイ状態および視聴状態においてこれらが強調表示されないことにより、エネルギー消費を抑えることができる。
【０１１２】
なお、点灯パターンの例３および点灯パターンの例４のように、視聴状態においてセンターアイコン６１およびロゴ６３の両方が強調表示されない場合には、通常は表示画面６０に映像等が表示されることによって、ＴＶ受像機１０の電源が入っていることをユーザに知らせることができる。その一方、例えば視聴状態において無信号になることにより表示画面６０に映像等が表示されていないときには、ＴＶ受像機１０の電源が入っていることをユーザに知らせることができない。
【０１１３】
そこで、ＴＶ受像機１０は、ユーザが、点灯パターンを選択するためのメニュー画面において、上記点灯パターンの例３および点灯パターンの例４のような、視聴状態においてセンターアイコン６１およびロゴ６３の両方が強調表示されない点灯パターンを選択したときには、「当該点灯パターンを設定した場合には、視聴状態において通電状態がわからなくなる可能性がある」ことをユーザに知らせるための確認画面を表示する。また、この確認画面において、当該点灯パターンを選択することに対して、「ＹＥＳ」か「ＮＯ」かの回答をユーザに選択させる。そして、ユーザが「ＹＥＳ」を選択したときには、リモコン受光部３５は、ＣＰＵ６からの制御に基づき、その点灯パターンを選択するための指示をパターン書き換え部５４に送信する。
【０１１４】
上記の構成によれば、ユーザに、選択しようとしている点灯パターンにはそのような弊害があることを知らせ、ユーザの確認を促すことができる。
【０１１５】
（センターアイコンＬＥＤ３７の点灯パターン）
センターアイコンＬＥＤ３７の点灯パターンについて、さらに詳細に説明する。図９（ａ）〜（ｃ）は、本発明の一実施形態におけるＴＶ受像機が備えるセンターアイコンＬＥＤの点灯パターンの例を示す図である。なお、図９（ａ）は、ＴＶ受像機１０の動作状態がソフトウェアをバージョンアップしている状態であるときの点灯パターンの例を示しており、図９（ｂ）および図９（ｃ）は、ＴＶ受像機１０の動作状態がエラー状態であるときの点灯パターンの例を示している。
【０１１６】
ＴＶ受像機１０の動作状態がソフトウェアをバージョンアップしている状態であるときは、センターアイコンＬＥＤ３７は図９（ａ）に示すように点滅する。すなわち、ソフトウェアをバージョンアップ中であるときには、センターアイコンＬＥＤ３７は、その発光強度が徐々に上昇した後徐々に下降することによって点滅する。また、ソフトウェアのバージョンアップが完了したときには、センターアイコンＬＥＤ３７は、その発光強度が急激に上昇して点灯し、一定時間点灯した後に、発光強度が急激に下降して消灯することを繰り返すことによって点滅する。このように点灯パターンが変化することによって、ソフトウェアをバージョンアップ中であること、またはバージョンアップが完了したことをユーザに知らせることができる。
【０１１７】
ＴＶ受像機１０の動作状態がエラー状態であるときは、センターアイコンＬＥＤ３７は図９（ｂ）に示すように点滅する。図９（ｂ）に示すように、センターアイコンＬＥＤ３７は、その発光強度が急激に上昇して点灯し、一定時間点灯した後に、発光強度が急激に下降して消灯することを２回繰り返し、その後当該一定時間よりも長い時間消灯するという点灯パターンを繰り返すことによって点滅する。これにより、エラー状態であることをユーザに知らせることができる。
【０１１８】
また、センターアイコンＬＥＤ３７は、エラー状態において、そのエラーの内容によって点灯パターンが変化してもよい。例えば、特定のエラーのときに、図９（ｃ）に示すように点滅してもよい。すなわち、センターアイコンＬＥＤ３７は、一定時間点灯した後に消灯することを２回繰り返した後、当該一定時間よりも短い時間において点灯した後消灯することを２回繰り返し、その後当該一定時間よりも長い時間消灯するという点灯パターンを繰り返すことによって点滅する。このように、エラーの内容によってセンターアイコンＬＥＤ３７の点灯パターンを変えることによって、エラーの内容をユーザに知らせることができる。
【０１１９】
上述した構成によれば、ＴＶ受像機１０の動作状態によって、センターアイコンＬＥＤ３７が種々の点灯パターンによって点灯するので、センターアイコン６１が種々のパターンによって強調表示される。したがって、センターアイコン６１のみによって、ＴＶ受像機１０がどのような状態であるかをユーザに知らせることができる。
【０１２０】
なお、ロゴＬＥＤ３９についても、センターアイコンＬＥＤ３７と同様に点灯させてもよい。例えば、ロゴＬＥＤ制御部５７は、センターアイコンＬＥＤ３７と同じ点灯パターンによって、ロゴＬＥＤ３９を制御してもよい。この場合には、ロゴ６３もセンターアイコン６１と同様にＴＶ受像機１０に備えられた表示灯としての役割を有することとなる。このように、本発明に係る表示装置は、表示灯を２個以上備えていてもよい。
【０１２１】
〔タッチパネルＬＥＤ５８の点灯パターンおよび点灯方法〕
次に、タッチパネルＬＥＤ５８の点灯パターンおよび点灯方法（照明方法）について説明する。タッチパネルＬＥＤ制御部５６は、上述したようにＴＶ受像機１０の動作状態に応じて制御する以外に、タッチパネル６２のキー６４がユーザによってタッチされたときにもタッチパネルＬＥＤ５８の点灯パターンを制御する。
【０１２２】
タッチパネルＬＥＤ制御部５６は、タッチパネル６２における複数のキー６４のいずれか１つがタッチされたときに、タッチされたキー６４に関する情報をタッチパネル６２のＩＣ６５から受信する。また、タッチパネルＬＥＤ制御部５６は、状態検出部５２から、ＴＶ受像機１０の動作状態に関する情報を取得する。そして、取得した動作状態に基づいて、タッチされたキー６４に対応する操作を行なうことが可能かどうかを判定する。
【０１２３】
タッチパネルＬＥＤ制御部５６は、タッチされたキー６４に対応する操作を行なうことが可能であると判定した場合には、全てのタッチパネルＬＥＤ５８を点灯（照明）させて、複数のキー６４の全てを強調表示させる。
【０１２４】
タッチされたキー６４に対応する操作を行なうことが可能である場合とは、例えば、ＴＶ受像機１０がスタンバイ状態であるときに、電源をＯＮする操作に対応するキー６４がタッチされた場合、ＴＶ受像機１０が視聴状態であるときに、音量を調節する操作、チャンネルを変更する操作、入力切替を行なう操作、メニュー画面を表示する操作、電源をＯＦＦする操作などに対応するキー６４がタッチされた場合等である。
【０１２５】
これによって、キー６４が有効にタッチされたこと、すなわちタッチパネル６２が正常に反応しており、所望する操作が行なわれることをユーザに知らせることができる。また、タッチされたキー６４以外の全てのキー６４を強調表示させるため、タッチされたキー６４が、タッチしたユーザの指などによって覆われていてユーザに見えにくい場合でも、タッチパネル６２が反応していることをユーザにわかりやすく知らせることができる。
【０１２６】
また、タッチパネルＬＥＤ制御部５６は、複数のキー６４のいずれか１つがタッチされたときに、タッチされたキー６４に対応する操作を行なうことが不可能であると判定した場合には、全てのタッチパネルＬＥＤ５８を点灯させず、つまり消灯させる。これによって、複数のキー６４の全ては強調表示されないこととなり、タッチしたキー６４に対応する操作が行なわれないこと、すなわちキー６４に対してタッチした動作が無効であったことをユーザに知らせることができる。
【０１２７】
タッチされたキー６４に対応する操作を行なうことが不可能である場合とは、ＴＶ受像機１０が起動準備状態、起動状態、エラー状態などの動作状態であって、ＴＶ受像機１０に対するいかなる操作をも受け付けない状態である場合、ＴＶ受像機１０がスタンバイ状態であるときに、音量を調節する操作、チャンネルを変更する操作などに対応するキー６４がタッチされた場合等である。
【０１２８】
また、タッチパネルＬＥＤ制御部５６は、複数のキー６４のうち、２つ以上のキー６４が同時にタッチされたときには、取得したＴＶ受像機１０の動作状態に基づいて、タッチされた２つ以上のキー６４にそれぞれ対応する操作を同時に行なうことが可能かどうかを判定する。
【０１２９】
ここで、タッチパネル６２は、２つ以上のキー６４が同時にタッチされたときには、タッチされた２つ以上のキー６４にそれぞれ対応する操作を同時に行なうことが可能な場合には、ＴＶ受像機１０に対してそれらの操作を同時に行ない、不可能な場合には、いずれの操作をも行なわない。同時に行なうことが不可能な操作の組合せとは、例えば、電源をＯＮする操作とチャンネルを変更する操作との組合せ、入力切替を行なう操作と電源をＯＦＦする操作との組合せなどである。なお、操作の組合せには、３つ以上の操作の組合せをも含まれる。
【０１３０】
また、例えば、チャンネルを変更する操作を行なうためのキーと音量を下げる操作を行なうためのキーとの組合せなど、特定の２つ以上のキーの組合せが同時にタッチされた場合には、パスワードロックを解除するなどの操作をＴＶ受像機１０に対して行なってもよい。パスワードロックとは、メニューの一部の設定項目について設定値を変更する際に、パスワードを要求する機能をさす。
【０１３１】
タッチパネルＬＥＤ制御部５６は、タッチされた２つ以上のキーにそれぞれ対応する操作を同時に行なうことが不可能であると判定した場合には、全てのタッチパネルＬＥＤ５８を点灯させず、つまり消灯させる。これによって、複数のキー６４の全ては強調表示されないこととなり、タッチしたキー６４に対応する操作が行なわれないこと、すなわちキー６４に対してタッチした動作が無効であったことをユーザに知らせることができる。
【０１３２】
また、タッチパネルＬＥＤ制御部５６は、複数のキー６４のいずれもがタッチされていないときには、取得したＴＶ受像機１０の動作状態に基づいて、複数のキー６４の各々に対応する操作のいずれかを行なうことが可能かどうかを判定する。その結果、可能であると判定した場合には、全てのタッチパネルＬＥＤ５８を点灯させず、つまり消灯させる。これによって、複数のキー６４の全ては強調表示されないこととなり、タッチパネル６２が操作されていない状態であることをユーザに知らせることができる。
【０１３３】
また、タッチパネルＬＥＤ制御部５６は、ＴＶ受像機１０の電源が入っている状態において、複数のキー６４のいずれもがタッチされていないときに、上述したように判定した結果、複数のキー６４の各々に対応する操作の全てを行なうことが不可能であると判定した場合には、全てのタッチパネルＬＥＤ５８を点灯させる。このような場合とは、例えば、ＴＶ受像機１０が起動準備状態、起動状態、エラー状態等である場合が該当する。これによって、複数のキー６４の全てが強調表示されるため、ユーザに、タッチパネル６２を操作することができない状態であることを知らせることができる。
【０１３４】
このように、キー６４がタッチされていないときにタッチパネル６２の点灯パターンが変化することによって、ＴＶ受像機１０に対してタッチパネル６２のキー６４に対応する操作を行なうことが可能か不可能かを、ユーザに知らせることができる。また、タッチパネルＬＥＤ制御部５６は、所定の場合には、タッチパネルＬＥＤ５８をそれぞれ個別に点灯させてもよい。
【０１３５】
以上のように、本実施形態における、複数のキー６４が設けられたタッチパネル６２の点灯方法は、キー６４毎に設けられたタッチパネルＬＥＤ５８の各々を照明させる照明工程を備えている。上述したように、キー６４は、タッチされることによってキー６４に対応する操作を行なうための指示を受け付けるものである。そして、本実施形態における点灯方法は、照明工程において、複数のキー６４のいずれか１つがタッチされたときに、タッチされたキー６４に対応する操作を行なうことが可能である場合には、タッチパネルＬＥＤ５８の全てを照明させるものである。
【０１３６】
なお、タッチパネルＬＥＤ５８は、上述した点灯パターン以外に、上述したセンターアイコンＬＥＤ３７と同様にＴＶ受像機１０に備えられた表示灯としての役割を有していてもよい。
【０１３７】
例えば、ＴＶ受像機１０におけるＣＰＵ６は、ＴＶ受像機１０の操作状態に応じて、ロゴＬＥＤ制御部５７、センターアイコンＬＥＤ制御部５５、およびタッチパネルＬＥＤ制御部５６を連携して制御する手段であってもよい。これによってロゴＬＥＤ制御部５７、センターアイコンＬＥＤ制御部５５、およびタッチパネルＬＥＤ制御部５６は、ロゴＬＥＤ３９とセンターアイコンＬＥＤ３７とタッチパネルＬＥＤ５８とのそれぞれを連携して制御してもよい。なお、「連携」させる場合とは、これらの各ＬＥＤの点灯パターンを連携させる場合、各ＬＥＤの輝度を連携させる場合などが挙げられる。
【０１３８】
例えば、ロゴＬＥＤ３９とセンターアイコンＬＥＤ３７とタッチパネルＬＥＤ５８とが同時に点灯するような場合に、ＣＰＵ６は、まずロゴＬＥＤ３９が点灯し、その後センターアイコンＬＥＤ３７が点灯し、さらにその後タッチパネルＬＥＤ５８が点灯するなど、複数の表示灯を順に点灯するように制御してもよい。また、ＣＰＵ６は、ロゴＬＥＤ３９とセンターアイコンＬＥＤ３７とが同時に点灯し、その後タッチパネルＬＥＤ５８が点灯するように制御してもよい。
【０１３９】
また、ＣＰＵ６は、ロゴＬＥＤ３９とセンターアイコンＬＥＤ３７とタッチパネルＬＥＤ５８との輝度が連携するように制御してもよい。例えば、ＣＰＵ６は、ロゴＬＥＤ３９とセンターアイコンＬＥＤ３７とが所定の輝度で点灯し、タッチパネルＬＥＤ３７が当該所定の輝度とは異なる輝度で点灯するよう制御してもよい。
【０１４０】
また、ＣＰＵ６は、タッチパネル６２のキー６４がタッチされたときに、タッチされたキー６４に対応する操作に応じて、ロゴＬＥＤ３９とセンターアイコンＬＥＤ３７とが連携して点灯するように制御してもよい。例えば、ＣＰＵ６は、電源をＯＮする操作に対応するキー６４がタッチされた場合には、ロゴＬＥＤ３９とセンターアイコンＬＥＤ３７とを同時に点灯するよう制御してもよい。また、電源をＯＦＦする操作に対応するキー６４がタッチされた場合には、ロゴＬＥＤ３９が消灯する一方、センターアイコンＬＥＤ３７が、電源がＯＮであるときよりも低い輝度において点灯するように、制御してもよい。
【０１４１】
〔その他の態様〕
また、本実施形態におけるＴＶ受像機１０は、人感センサーを搭載していてもよい。人感センサーとは、検知範囲内に人がいるか否かを検知するセンサーである。人感センサーが、その検知範囲内にユーザを検知したときには、センターアイコンＬＥＤ制御部５５、タッチパネルＬＥＤ制御部５６、もしくはロゴＬＥＤ制御部５７またはこれらの組合せは、それぞれセンターアイコンＬＥＤ３７、全てのタッチパネルＬＥＤ５８、またはロゴＬＥＤ３９を点灯させてもよい。
【０１４２】
また、ＴＶ受像機１０は、人感センサーとカメラとを搭載していてもよい。また、本体のメモリ７は、複数のユーザの情報と、それぞれのユーザのお好みの色に関する情報とを記憶していてもよい。人感センサーが、その検知範囲内にユーザを検知し、カメラがそのユーザを特定したときには、センターアイコンＬＥＤ制御部５５、タッチパネルＬＥＤ制御部５６、もしくはロゴＬＥＤ制御部５７またはこれらの組合せは、特定されたユーザのお好みの色に関する情報をメモリ７から取得して、それぞれセンターアイコンＬＥＤ３７、全てのタッチパネルＬＥＤ５８、またはロゴＬＥＤ３９をその色で点灯させてもよい。例えば、特定されたユーザが父親であって、当該父親のお好みの色として緑色がメモリ７に記憶されているときには、緑色で点灯し、検出されたユーザが子供であって、当該子供のお好みの色としてピンク色がメモリ７に記憶されているときには、ピンク色で点灯する等である。
【０１４３】
また、ＴＶ受像機１０は、距離センサーを搭載していてもよい。距離センサーとは、物体までの距離を検知するセンサーである。距離センサーが、ＴＶ受像機１０から一定の距離の範囲内にユーザを検知したときには、センターアイコンＬＥＤ制御部５５、タッチパネルＬＥＤ制御部５６、もしくはロゴＬＥＤ制御部５７またはこれらの組合せは、それぞれセンターアイコンＬＥＤ３７、全てのタッチパネルＬＥＤ５８、またはロゴＬＥＤ３９を点灯させてもよい。
【０１４４】
また、ＴＶ受像機１０は、ＲＧＢセンサーを搭載していてもよい。ＲＧＢセンサーは、周囲環境の照明光源の色温度（白熱電球、蛍光灯、ＬＥＤ照明等）を取得するセンサーである。センターアイコンＬＥＤ制御部５５、タッチパネルＬＥＤ制御部５６、もしくはロゴＬＥＤ制御部５７またはこれらの組合せは、ＲＧＢセンサーが取得した周囲環境の情報に基づいて、それぞれセンターアイコンＬＥＤ３７、全てのタッチパネルＬＥＤ５８、またはロゴＬＥＤ３９の発光強度、色等を自動で補正してもよい。
【０１４５】
また、ＴＶ受像機１０は、明るさセンサーを搭載していてもよい。明るさセンサーは、周囲環境の明るさを検知するセンサーである。明るさセンサーが、例えば部屋の電灯が消灯されたことを検知したときには、センターアイコンＬＥＤ制御部５５、タッチパネルＬＥＤ制御部５６、もしくはロゴＬＥＤ制御部５７またはこれらの組合せは、その情報に基づいて、それぞれセンターアイコンＬＥＤ３７、全てのタッチパネルＬＥＤ５８、またはロゴＬＥＤ３９を点灯させてもよい。これによって、センターアイコン６１、タッチパネル６２もしくはロゴ６３またはこれらの組合せが強調表示されて光ることにより、これらを間接照明とすることができる。
【０１４６】
また、本実施形態においては、センターアイコン６１、タッチパネル６２およびロゴ６３は、センターアイコンＬＥＤ３７、全てのタッチパネルＬＥＤ５８、またはロゴＬＥＤ３９によって光が照射されて強調表示されるが、これに限らず、例えば液晶表示装置におけるバックライトなどから導光板によって導光されて光が照射されてもよい。
【０１４７】
また、本発明に係る表示装置が備える表示灯制御手段は、タッチパネルのキーがタッチされたときに、タッチされたキーに対応する操作に応じて表示灯の光り方を変えるものであってもよい。また、タッチされたキーに対応する操作に応じて、表示灯の形状を変えるものであってもよい。
【０１４８】
また、本発明に係る表示装置は、表示パネルの全面がガラスにより構成されていてもよい。この場合には、センターアイコン、タッチパネルの各キーおよびロゴは、当該ガラスの下に設けられていてもよい。
【０１４９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１５０】
〔プログラム及び記録媒体〕
最後に、テレビジョン受像機１０に含まれている各部は、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１５１】
すなわちテレビジョン受像機１０は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、及び、上記プログラム及び各種データを格納するメモリ等の記憶装置（記録媒体）を備えている。この構成により、本発明の目的は、所定の記録媒体によっても、達成できる。
【０１５２】
この記録媒体は、上述した機能を実現するソフトウェアであるテレビジョン受像機１０のプログラムのプログラムコード（実行形式プログラム、中間コードプログラム、ソースプログラム）をコンピュータで読み取り可能に記録していればよい。テレビジョン受像機１０に、この記録媒体を供給する。これにより、コンピュータとしてのテレビジョン受像機１０（またはＣＰＵやＭＰＵ）が、供給された記録媒体に記録されているプログラムコードを読み出し、実行すればよい。
【０１５３】
プログラムコードをテレビジョン受像機１０に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１５４】
また、テレビジョン受像機１０を通信ネットワークと接続可能に構成しても、本発明の目的を達成できる。この場合、上記のプログラムコードを、通信ネットワークを介してテレビジョン受像機１０に供給する。この通信ネットワークはテレビジョン受像機１０にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０１５５】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【産業上の利用可能性】
【０１５６】
本発明に係る表示装置は、タッチパネルのキーが有効にタッチされたことを、ユーザに分かり易く知らせることができるので、タッチパネルを備えたテレビジョン受像機などの表示装置に広く適用できる。
【符号の説明】
【０１５７】
１０  テレビジョン受像機（表示装置）
３５  リモコン受光部（受け付け手段）
３７  センターアイコンＬＥＤ（表示灯）
３９  ロゴＬＥＤ（表示灯）
５８  タッチパネルＬＥＤ（光源）
５１  記憶部（記憶手段）
５５  センターアイコンＬＥＤ制御部（表示灯制御手段）
５６  タッチパネルＬＥＤ制御部（照明手段）
５７  ロゴＬＥＤ制御部（表示灯制御手段）
６２  タッチパネル
６４  キー
７１  ＯＰＣセンサー（光センサー）
【図１】
2011139392.tif 000003
【図２】
2011139392.tif 000004
【図３】
2011139392.tif 000005
【図４】
2011139392.tif 000006
【図５】
2011139392.tif 000007
【図６】
2011139392.tif 000008
【図７】
2011139392.tif 000009
【図８】
2011139392.tif 000010
【図９】
2011139392.tif 000011